(57)【要約】      （修正有）【課題】精紡機の生産能力や効率が改善され、生産量が増加する紡速調節装置を提供する。【解決手段】制御信号を発生させるためのプログラマブルロジックコントローラ１２０と、プログラマブルロジックコントローラに電気的接続され、且つ制御信号に基づいて精紡機のモータ２２０を駆動させるためのモータインバータ１４０と、を備え、精紡機は複数の変速タイミングを有し、プログラマブルロジックコントローラは、精紡機が複数の変速タイミングの何れにあるかに基づいて制御信号をコントロールして、モータインバータがそれに基づいて精紡機の紡速を調節するようにし、複数の変速タイミングのそれぞれに対応する紡速は精紡機の満管の長さと一定の比例関係を持つ精紡機の紡速調節装置１００。【選択図】図１
0003233294.tif 000002
【実用新案登録請求の範囲】
【請求項１】
制御信号を発生させるためのプログラマブルロジックコントローラと、
前記プログラマブルロジックコントローラに電気的接続され、且つ前記制御信号に基づいて精紡機のモータを駆動させるためのモータインバータと、
を備え、
前記精紡機は複数の変速タイミングを有し、
前記プログラマブルロジックコントローラは、前記精紡機が前記変速タイミングの何れにあるかに基づいて前記制御信号をコントロールして、前記モータインバータがそれに基づいて前記精紡機の紡速を調節するようにし、
前記変速タイミングのそれぞれに対応する前記紡速は前記精紡機の満管の長さと一定の比例関係を持つ精紡機の紡速調節装置。
【請求項２】
前記変速タイミングは満管プリセット区間を含み、前記満管プリセット区間の対応する前記紡速は前記精紡機の前記満管の長さと同じである請求項１に記載の精紡機の紡速調節装置。
【請求項３】
前記変速タイミングは第１の加速プリセット区間を含み、前記第１の加速プリセット区間の対応する前記紡速は前記満管の長さの２％である請求項１に記載の精紡機の紡速調節装置。
【請求項４】
前記変速タイミングは第２の加速プリセット区間を含み、前記第２の加速プリセット区間の対応する前記紡速は前記満管の長さの５％である請求項１に記載の精紡機の紡速調節装置。
【請求項５】
前記変速タイミングは第３の加速プリセット区間を含み、前記第３の加速プリセット区間の対応する前記紡速は前記満管の長さの２５％である請求項１に記載の精紡機の紡速調節装置。
【請求項６】
前記変速タイミングは第１の減速プリセット区間を含み、前記第１の減速プリセット区間の対応する前記紡速は前記満管の長さの９０％である請求項１に記載の精紡機の紡速調節装置。
【請求項７】
前記変速タイミングは第２の減速プリセット区間を含み、前記第２の減速プリセット区間の対応する前記紡速は前記満管の長さの９５％である請求項１に記載の精紡機の紡速調節装置。
【請求項８】
前記精紡機が前記変速タイミングの何れにあるかは、前記精紡機の紡出長によって決められる請求項１に記載の精紡機の紡速調節装置。
【請求項９】
前記精紡機の前記モータは、機械構造によって前記精紡機のスピンドルを連動させる請求項１に記載の精紡機の紡速調節装置。
【請求項１０】
前記プログラマブルロジックコントローラは、ＲＳ４８５シリアルポート伝送インタフェースを介して前記モータインバータと通信し、前記プログラマブルロジックコントローラと前記モータインバータはＭｏｄｂｕｓデータ伝送プロトコルによってデータの伝送を行う請求項１に記載の精紡機の紡速調節装置。
【考案の詳細な説明】
【技術分野】
【０００１】
本考案は、紡速調節装置に関し、特に、精紡機の紡速調節装置に関する。
【背景技術】
【０００２】
現在、精紡機の紡速は玉揚のたびに紡がれた長さに基づいて対応的に変速し、つまり、精紡機が複数の変速タイミングを有し、また、各変速タイミングの対応する紡速の何れも一定のプリセット値である。しかしながら、特殊な糸種が日々増え続け、原料、スピンドル速度及びトラベラ等の変化が大きく、コップ形成が一回だけでよく調節されることは困難であるため、初めて変更して紡ぐ場合、満管プリセットの対応する紡速が常に変わるが、各変速タイミングの対応する紡速が相変わらず一定のプリセット値であれば、精紡機の生産能力や効率までも影響されてしまう。
【考案の概要】
【０００３】
本開示の目的は、制御信号を発生させるためのプログラマブルロジックコントローラと、プログラマブルロジックコントローラに電気的接続され、且つ制御信号に基づいて精紡機のモータを駆動させるためのモータインバータと、を備え、精紡機は複数の変速タイミングを有し、プログラマブルロジックコントローラは、精紡機が複数の変速タイミングの何れにあるかに基づいて制御信号をコントロールして、モータインバータがそれに基づいて精紡機の紡速を調節するようにし、複数の変速タイミングのそれぞれに対応する紡速は精紡機の満管の長さと一定の比例関係を持つ精紡機の紡速調節装置を提出することにある。
【０００４】
ある実施例において、前記複数の変速タイミングは満管プリセット区間を含み、前記満管プリセット区間の対応する紡速は精紡機の満管の長さと同じである。
【０００５】
ある実施例において、前記複数の変速タイミングは第１の加速プリセット区間を含み、前記第１の加速プリセット区間の対応する紡速は満管の長さの２％である。
【０００６】
ある実施例において、前記複数の変速タイミングは第２の加速プリセット区間を含み、前記第２の加速プリセット区間の対応する紡速は満管の長さの５％である。
【０００７】
ある実施例において、前記複数の変速タイミングは第３の加速プリセット区間を含み、前記第３の加速プリセット区間の対応する紡速は満管の長さの２５％である。
【０００８】
ある実施例において、前記複数の変速タイミングは第１の減速プリセット区間を含み、前記第１の減速プリセット区間の対応する紡速は満管の長さの９０％である。
【０００９】
ある実施例において、前記複数の変速タイミングは第２の減速プリセット区間を含み、前記第２の減速プリセット区間の対応する紡速は満管の長さの９５％である。
【００１０】
ある実施例において、前記精紡機が前記複数の変速タイミングの何れにあるかは、精紡機の紡出長によって決められる。
【００１１】
ある実施例において、前記精紡機のモータは、機械構造によって精紡機のスピンドルを連動させる。
【００１２】
ある実施例において、前記プログラマブルロジックコントローラは、ＲＳ４８５シリアルポート伝送インタフェースを介してモータインバータと通信し、前記プログラマブルロジックコントローラとモータインバータはＭｏｄｂｕｓデータ伝送プロトコルによってデータの伝送を行う。
【００１３】
下記の添付図面に合わせた詳細な説明は、本開示の上記特徴及びメリットをより分かりやすくするためのものであり、下記で特に実施例を挙げる。
【図面の簡単な説明】
【００１４】
下記の添付図面に合わせた詳細な記述によると、本開示の態様をより良く理解することができる。注意すべきなのは、業界の基準実務によると、各特徴は比例にして描かれたものではない。実際に、より明確に検討するために、各特徴のサイズは任意に増加又は減少してもよい。
【図１】本開示の実施例による紡速調節装置のブロック図である。
【考案を実施するための形態】
【００１５】
以下、本考案の実施例を詳しく検討する。しかしながら、理解すべきなのは、実施例が数多くの適用可能な概念を提供し、様々な特定内容に実施されることができる。検討・開示された実施例は、本考案の範囲を限定するものではなく、単に説明するためのものである。
【００１６】
図１は、本開示の実施例による紡速調節装置１００のブロック図である。紡速調節装置１００は、プログラマブルロジックコントローラ（ｐｒｏｇｒａｍｍａｂｌｅ  ｌｏｇｉｃ  ｃｏｎｔｒｏｌｌｅｒ；ＰＬＣ）１２０と、モータインバータ１４０と、を備える。モータインバータ１４０はプログラマブルロジックコントローラ１２０に電気的接続され、プログラマブルロジックコントローラ１２０はＲＳ４８５基準のシリアルポート伝送インタフェースを介してモータインバータ１４０と通信し、より好ましくは、プログラマブルロジックコントローラ１２０と、モータインバータ１４０とは、更に、Ｍｏｄｂｕｓデータ伝送プロトコルによって互いにデータの伝送を行ってよい。
【００１７】
プログラマブルロジックコントローラ１２０は、制御信号ＳＩＧを発生させることに用いられる。モータインバータ１４０は、制御信号ＳＩＧに基づいて精紡機２００のモータ２２０を駆動させることに用いられる。精紡機２００のモータ２２０は、機械構造によって精紡機２００におけるスピンドル２４０を連動させることに用いられる。
【００１８】
精紡機２００は、満管プリセット区間、第１の加速プリセット区間、第２の加速プリセット区間、第３の加速プリセット区間、第１の減速プリセット区間と第２の減速プリセット区間を含む複数の変速タイミングを有する。精紡機２００が上記複数の変速タイミングの何れにあるかは、精紡機２００の玉揚のたびに紡がれた紡出長によって決められる。
【００１９】
プログラマブルロジックコントローラ１２０は、精紡機２００が複数の変速タイミングの何れにあるかに基づいて制御信号ＳＩＧをコントロールすることで、モータインバータ１４０がそれに基づいて精紡機２００の紡速を調節するようにする。上記複数の変速タイミングのそれぞれに対応する紡速系と精紡機２００の満管の長さとは、一定の比例関係を持つ。
【００２０】
精紡機２００は、複数の変速タイミングにおける満管プリセット区間にある場合、その紡速が精紡機２００の満管の長さと同じであり、つまり、精紡機２００の満管の長さの１００％である。
【００２１】
精紡機２００は、複数の変速タイミングにおける第１の加速プリセット区間にある場合、その紡速が精紡機２００の満管の長さの２％である。
【００２２】
精紡機２００は、複数の変速タイミングにおける第２の加速プリセット区間にある場合、その紡速が精紡機２００の満管の長さの５％である。
【００２３】
精紡機２００は、複数の変速タイミングにおける第３の加速プリセット区間にある場合、その紡速が精紡機２００の満管の長さの２５％である。
【００２４】
精紡機２００は、複数の変速タイミングにおける第１の減速プリセット区間にある場合、その紡速が精紡機２００の満管の長さの９０％である。
【００２５】
精紡機２００は、複数の変速タイミングにおける第２の減速プリセット区間にある場合、その紡速が精紡機２００の満管の長さの９５％である。
【００２６】
例としては、精紡機２００は、満管の長さが３２０*０．０１ＨＫ（ハンク）であれば、複数の変速タイミングにおける第１の加速プリセット区間にある場合、その紡速が３２０*２％*０．０１ＨＫ（ハンク）である。精紡機２００は、複数の変速タイミングにおける第１の減速プリセット区間にある場合、その紡速が３２０*９０％*０．０１ＨＫ（ハンク）である。これによって類推する。
【００２７】
具体的には、本開示はプログラマブルロジックコントローラを修正するプログラムであるので、精紡機の各変速タイミングの対応する紡速が公知の一定のプリセット値から精紡機の満管の長さと一定の比例関係を持つように変わる。
【００２８】
機台の作業による影響から言えば、プログラマブルロジックコントローラのプログラムの修正がオフライン（ＯＦＦＬＩＮＥ）で作成され、修正してから機台を停止して修正されたプログラムをプログラマブルロジックコントローラに入力するので、毎台が毎回に機台の運転に約５〜１０分間しか影響を与え、機台の作業にあまり深刻な影響を与えることはない。
【００２９】
利点から言えば、精紡機の各変速タイミングの対応する紡速が相変わらず公知の一定のプリセット値であれば、初めにコップ形成があまり細く調整されると、満管プリセット区間の設定値に達していない場合に上昇してオーバーランとなるが、満管プリセット区間の対応する満管の長さのみを減少させて紡速勾配を修正しない（相変わらず一定のプリセット値）と、管糸や高糸の場合に高速で運転し、切れが増加する。それに対して、精紡機の各変速タイミングの対応する紡速が精紡機の満管の長さと一定の比例関係を持つと、各変速タイミングの対応する紡速は、精紡機の満管の長さの減少につれて低く調整するので、管糸や高糸の場合に高速で運転することはなく、切れの増加問題が改善される。
【００３０】
利点から言えば、精紡機の各変速タイミングの対応する紡速が相変わらず公知の一定のプリセット値であれば、コップ形成が適当に調整されるが、初めに満管プリセット区間の対応する満管の長さがあまり少ないと、非満管、つまり玉揚となり、この場合、それに対応するように満管プリセット区間の対応する満管の長さを増加するが、紡速勾配を同時に修正しない（相変わらず一定のプリセット値）と、低速で運転する時期が増加し、生産能力が低下する。それに対して、精紡機の各変速タイミングの対応する紡速が精紡機の満管の長さと一定の比例関係を持つと、各変速タイミングの対応する紡速精紡機の満管の長さの増加につれて高くなり、低速で運転する時期が増加することはなく、生産能力を維持する。
【００３１】
以上を纏めると、本開示は、精紡機の各変速タイミングの対応する紡速が精紡機の満管の長さと一定の比例関係を持つため、精紡機の生産能力や効率が改善され、且つ生産量が増加する精紡機の紡速調節装置を提出する。
【００３２】
以上、複数の実施例の特徴が概述されるため、当業者であれば、本開示の態様を更に理解することができる。当業者であれば、本開示に基づいて他のプロセスと構造を容易に設計又は修正することで、ここで紹介されたこれらの実施例と同じ目標を実現させ、及び／又は同じメリットを達成させることができることは理解すべきである。当業者にとって、これらの等效な構築が本開示の精神や範囲から逸脱しなく、また本開示の精神と範囲から逸脱せずに様々な変化、取り替えと変更を加えてもよいことは明らかである。
【符号の説明】
【００３３】
１００  紡速調節装置
１２０  プログラマブルロジックコントローラ
１４０  モータインバータ
２００  精紡機
２２０  モータ
２４０  スピンドル
ＳＩＧ  制御信号
【図１】
0003233294.tif 000003
【手続補正書】
【提出日】令和3年5月31日(2021.5.31)
【手続補正１】
【補正対象書類名】実用新案登録請求の範囲
【補正対象項目名】全文
【補正方法】変更
【補正の内容】
【実用新案登録請求の範囲】
【請求項１】
制御信号を発生させるためのプログラマブルロジックコントローラと、
前記プログラマブルロジックコントローラに電気的接続され、且つ前記制御信号に基づいて精紡機のモータを駆動させるためのモータインバータと、
を備え、
前記精紡機は複数の変速タイミングを有し、
前記プログラマブルロジックコントローラは、前記精紡機が前記変速タイミングの何れにあるかに基づいて前記制御信号をコントロールして、前記モータインバータがそれに基づいて前記精紡機の紡速を調節するようにし、
前記変速タイミングのそれぞれに対応する前記紡速は前記精紡機の満管の長さと一定の比例関係を持つ精紡機の紡速調節装置。
【請求項２】
前記変速タイミングは満管プリセット区間を含み、前記満管プリセット区間の対応する前記紡速は前記精紡機の前記満管の長さと同じである請求項１に記載の精紡機の紡速調節装置。
【請求項３】
前記変速タイミングは第１の加速プリセット区間を含み、前記第１の加速プリセット区間の対応する前記紡速は前記満管の長さの２％である請求項１に記載の精紡機の紡速調節装置。
【請求項４】
前記変速タイミングは第２の加速プリセット区間を含み、前記第２の加速プリセット区間の対応する前記紡速は前記満管の長さの５％である請求項１に記載の精紡機の紡速調節装置。
【請求項５】
前記変速タイミングは第３の加速プリセット区間を含み、前記第３の加速プリセット区間の対応する前記紡速は前記満管の長さの２５％である請求項１に記載の精紡機の紡速調節装置。
【請求項６】
前記変速タイミングは第１の減速プリセット区間を含み、前記第１の減速プリセット区間の対応する前記紡速は前記満管の長さの９０％である請求項１に記載の精紡機の紡速調節装置。
【請求項７】
前記変速タイミングは第２の減速プリセット区間を含み、前記第２の減速プリセット区間の対応する前記紡速は前記満管の長さの９５％である請求項１に記載の精紡機の紡速調節装置。
【請求項８】
前記精紡機が前記変速タイミングの何れにあるかは、前記精紡機の紡出長によって決められる請求項１に記載の精紡機の紡速調節装置。
【請求項９】
前記精紡機の前記モータは、機械構造によって前記精紡機のスピンドルを連動させる請求項１に記載の精紡機の紡速調節装置。
【請求項１０】
前記プログラマブルロジックコントローラは、ＲＳ４８５シリアルポート伝送インタフェースを介して前記モータインバータと通信し、前記プログラマブルロジックコントローラと前記モータインバータはＭｏｄｂｕｓ（登録商標）データ伝送プロトコルによってデータの伝送を行う請求項１に記載の精紡機の紡速調節装置。